(57)【要約】      （修正有）【課題】身体の複数の部位の筋力アップ、柔軟性向上のための複数の運動に利用可能な健康器具を提供する。【解決手段】健康器具１である。そして、人が出入りするために一側面が開いた下部枠体２と、下部枠体２と同じ一側面が開いており、下部枠体２に相対的に上下方向に高さ調整できる上部枠体３と、上部枠体３に取り付けられ、手で把持して回転させる軸棒を支承する少なくとも１つの凹部４１が設けられる一対の軸受梁部材４、４と、上部枠体３の上端近傍に取り付けられる一対の手摺梁部材５、５と、を備えている。【選択図】図１
0003190876.tif 000002
【実用新案登録請求の範囲】
【請求項１】
健康器具であって、
人が出入りするために一側面が開いた下部枠体と、
前記下部枠体と同じ一側面が開いており、前記下部枠体に相対的に上下方向に高さ調整できる上部枠体と、
前記上部枠体に取り付けられ、手で把持して回転させる軸棒を支承する少なくとも１つの凹部が設けられる一対の軸受梁部材と、
前記上部枠体の上端近傍に取り付けられる一対の手摺梁部材と、を備えることを特徴とする健康器具。
【請求項２】
上肢を鍛えるための回転ペダル装置の脚部を支持する装置台をさらに備えることを特徴とする請求項１に記載の健康器具。
【請求項３】
前記凹部は、前記軸受梁部材の長さ方向に複数設けられて、腕の長さに応じて前記軸棒の位置を変えることができるように形成されている、ことを特徴とする請求項１又は請求項２に記載の健康器具。
【請求項４】
前記装置台は、一対のＴ字形部材をＨ字形に突き合わせて形成され、第１のＴ字形部材の端部は雄形状にされ、第２のＴ字形部材の端部は雌形状にされ、
前記第１のＴ字形部材の端部と前記第２のＴ字形部材の端部とが嵌合する領域において、前記第１のＴ字形部材及び前記第２のＴ字形部材の両方を挿通するボルトによって、前記第１のＴ字形部材と前記第２のＴ字形部材とが固定される、請求項２に記載の健康器具。
【請求項５】
前記手摺梁部材は、円柱状に形成されている、請求項１乃至請求項４のいずれか一項に記載の健康器具。
【考案の詳細な説明】
【技術分野】
【０００１】
本考案は、複数の運動に利用可能な健康器具に関するものである。
【背景技術】
【０００２】
従来、様々なリハビリ器具、健康器具が使用されている。健康器具としては、ペダルを足でこぐことで脚力を鍛える「エアロバイク」や、踏み台昇降運動を行うための「昇降台」や、足で踏みつけることで足の裏を刺激する「青竹踏み（青竹）」などが知られている。
【０００３】
例えば、特許文献１のエアロバイクマシンの仰臥台座は、仰臥台座が仰臥姿勢で上半身を支持する略長方形の寝板と、寝板の両側部に垂直に立ち上げた一対のグリップと、寝板の一端部に設けたエアロバイクマシンの脚部と連結する連接金具を設けている。これによって、仰向けになってペダルをこぐことができるため、従来と異なる腹直筋と腹斜筋に負荷がかかってこれらの筋肉を鍛え、贅肉をシェイプアップできるようになる。
【先行技術文献】
【特許文献】
【０００４】
【特許文献１】実用新案登録第３１８５５４２号公報
【考案の概要】
【考案が解決しようとする課題】
【０００５】
しかしながら、従来の健康器具は、いずれも単一の運動のみできるように構成されているため、身体の複数の部位の筋力アップ、柔軟性向上のためには、複数の健康器具が必要となっていた。
【０００６】
このため、リハビリを実施する施設に多数の健康器具を配置しようとすると、広い収納場所を確保しなければならない、という問題があった。そこで、本考案は、複数の運動に利用可能な健康器具を提供することを目的としている。
【課題を解決するための手段】
【０００７】
前記目的を達成するために、本考案の健康器具は、人が出入りするために一側面が開いた下部枠体と、前記下部枠体と同じ一側面が開いており、前記下部枠体に相対的に上下方向に高さ調整できる上部枠体と、前記上部枠体に取り付けられ、手で把持して回転させる軸棒を支承する少なくとも１つの凹部が設けられる一対の軸受梁部材と、前記上部枠体の上端近傍に取り付けられる一対の手摺梁部材と、を備えている。
【考案の効果】
【０００８】
このように、本考案の健康器具は、下部枠体と、上部枠体と、一対の軸受梁部材と、一対の手摺梁部材と、を備えている。この構成によれば、複数の運動に利用可能な健康器具を提供することができる。
【図面の簡単な説明】
【０００９】
【図１】実施例１の健康器具の斜視図である。
【図２】実施例２の健康器具の斜視図である。
【図３】実施例２の健康器具を正面から見た斜視図である。
【図４】実施例２の健康器具の装置台の構成を説明する分解斜視図である。
【図５】変形例の装置台の構成を説明する斜視図である。
【考案を実施するための形態】
【００１０】
以下、本考案の実施の形態について図面を参照して説明する。
【実施例１】
【００１１】
（構成）
まず、図１の斜視図を用いて、本考案の健康器具１の全体構成を説明する。本考案の健康器具１は、図１に示すように、人が出入りするために一側面が開いた下部枠体２と、下部枠体２と同じ一側面が開いており、下部枠体２に相対的に上下方向に高さ調整できる上部枠体３と、上部枠体３に取り付けられ、手で把持して回転させる軸棒を支承する少なくとも１つの凹部４１、・・・が設けられる一対の軸受梁部材４、４と、上部枠体３の上端近傍に取り付けられる一対の手摺梁部材５、５と、を備えている。そして、本実施例の健康器具１の軸受梁部材４、４の凹部４１、４１は、軸棒７を支承している。なお、説明を簡単にするために、特に図示しなかったが、健康器具１は、全体的に尖った角部分を丸く面取りすることが好ましい。
【００１２】
下部枠体２は、四隅に立てた４本の柱部材に梁を架け渡して構成される枠組みである。４本の柱部材には、上部枠体３の柱部材を挿入するための穴が設けられている。さらに、４本の柱部材には、挿入された上部枠体３の柱部材の下部に挿入される金属棒を挿入する孔が設けられている。また、下部枠体２は、上補強材２１、２１と、下補強材２２、２２とによって、前後方向に補強されている。
【００１３】
上部枠体３は、４隅に立てた４本の柱部材に梁を架け渡して構成される枠組みである。４本の柱部材は、それぞれ下部枠体２の対応する４本の柱部材に挿入されている。さらに、４本の柱の下部には所定の間隔で複数の孔が設けられており、金属棒が挿入されるようになっている。したがって、金属棒を挿入する孔によって上部枠体３の高さを変えることができるようになっている。そして、開いた一側面の方向から見て左右の側面に沿って、後述するように、下方に一対の軸受梁部材４、４と、上方に一対の手摺部材５、５とが架け渡されている。
【００１４】
軸受梁部材４は、開いた一側面の方向から見て左右の側面に沿うように配置されている。軸受梁部材４には、長さ方向に複数の凹部４１、・・・が設けられている。換言すると、複数の凹部４１、・・・は、開いた一側面からの距離が互いに異なるように配置されている。凹部４１は、円柱状の軸棒７を回転自在に支承できるように、半円弧状に形成される。
【００１５】
手摺部材５は、開いた一側面の方向から見て左右の側面に沿うように、軸受梁部材４の上方に配置されている。すなわち、手摺部材５は、上部枠体３の四隅の４本の柱部材の上端近傍に配置されている。手摺部材５は、円形の断面を有しており、歩行訓練を行う人（患者）が左右の手で把持しやすいようになっている。
【００１６】
軸棒７は、軸受梁部材４の左右の対応する位置の凹部４１、４１に架け渡されている。したがって、軸棒７は、開いた一側面に平行に配置されることになる。軸棒７には、先端に錘７１が取り付けられた糸又は紐が結び付けられており、手で軸棒７を回転させることによって錘７１が上下するようになっている。
【００１７】
（錘巻き上げ運動）
次に、本実施例の健康器具１を利用した錘巻き上げ運動について説明する。まず、患者は、椅子に腰かける。その状態で、補助者が、上部枠体３の高さを調整し、かつ、複数の凹部４１、・・・から、適切な位置の凹部４１、４１を選択して、軸棒７の左右を選択された凹部４１、４１に嵌め込む。次に、患者は、軸棒７の糸又は紐が結び付けられている中央位置の左右を両手で把持し、手前側から奥側へ向かって正回転させたり、奥側から手前側へ向かって逆回転させたりして、腕の筋力を鍛える。
【実施例２】
【００１８】
以下、図２〜４を用いて、実施例１とは別の運動に使用される健康器具１について説明する。なお、実施例１で説明した内容と同一乃至均等な部分の説明については同一符号を付して説明する。
【００１９】
（構成）
まず、構成について説明すると、本実施例の健康器具１は、実施例１と同様に、下部枠体２と、上部枠体３と、一対の軸受梁部材４、４と、一対の手摺梁部材５、５と、を備えている。そして、本実施例の健康器具１の下部枠体２には、上肢を鍛えるための回転パダル装置８の脚部を支持する装置台６がさらに取り付けられている。この回転ペダル装置８は、通常は足でペダルを回転させることで足の筋肉を鍛えるものであるが、ここでは、装置台６に載せた状態で上肢を鍛えるために用いる。
【００２０】
装置台６は、一対のＴ字形部材６１、６２をＨ字形に突き合わせて形成される。このうち第１のＴ字形部材６１の端部は雄形状にされ、第２のＴ字形部材６２の端部は雌形状にされている。第１のＴ字形部材６１の端部と第２のＴ字形部材の端部６２とが嵌合する領域において、両方を挿通するボルト６３及びナット６４によって、第１のＴ字形部材６１と第２のＴ字形部材６２とが固定される。第１及び第２のＴ字形部材６１、６２は、回転ペダル装置８の前後の脚部と嵌合する形状にされている。
【００２１】
（上肢の回転運動）
次に、本実施例の健康器具１を利用した上肢の回転運動について説明する。まず、補助者が、装置台６を下部枠体２に取り付ける。具体的には、第１及び第２のＴ字形部材６１、６２を下部枠体２と組み合わせつつ、両者をＨ字形に突き合わせ、ボルト６３及びナット６４で両者を固定する。次に、患者は、椅子に腰かける。その状態で、患者は、回転ペダル装置８の左右のペダルを両手で把持し、手前側から奥側へ向かって正回転させたり、奥側から手前側へ向かって逆回転させたりして、上肢の筋力を鍛える。
【００２２】
（効果）
次に、本実施例の健康器具１の奏する効果を列挙して説明する。
【００２３】
（１）上述したように、本実施例の健康器具１は、健康器具１であって、人が出入りするために一側面が開いた下部枠体２と、下部枠体２と同じ一側面が開いており、下部枠体２に相対的に上下方向に高さ調整できる上部枠体３と、上部枠体３に取り付けられ、手で把持して回転させる軸棒７を支承する少なくとも１つの凹部４１が設けられる一対の軸受梁部材４、４と、上部枠体３の上端近傍に取り付けられる一対の手摺梁部材５、５と、を備えている。このため、複数の運動に利用可能な健康器具を提供することができる。すなわち、少なくとも、軸受梁部材４、４を用いた錘巻き上げ運動と、手摺部材５、５を用いた踏み台昇降運動、歩行訓練等を行うことができる。
【００２４】
（２）上肢を鍛えるための回転ペダル装置８の脚部を支持する装置台６をさらに備えることによって、さらに上肢の回転運動をも行うことができる。
【００２５】
（３）また、凹部４１は、軸受梁部材４の長さ方向に複数設けられて、利用者の腕の長さに応じて軸棒７の位置を変えることができるように形成されているため、単一の健康器具１によって複数の患者に適用可能となる。
【００２６】
（４）装置台６は、一対のＴ字形部材６１、６２をＨ字形に突き合わせて形成され、第１のＴ字形部材６１の端部は雄形状にされ、第２のＴ字形部材６２の端部は雌形状にされ、第１のＴ字形部材６１の端部と第２のＴ字形部材６２の端部とが嵌合する領域において、第１のＴ字形部材６１及び第２のＴ字形部材６２の両方を挿通するボルト６３によって、第１のＴ字形部材６１と第２のＴ字形部材６２とが固定されるようになっている。したがって、回転ペダル装置８を用いない場合には、装置台６を取り外すことができる。
【００２７】
（５）手摺梁部材５、５は、円柱状に形成されていることによって、手で把持する場合に握りやすく、かつ、握力を効率よく伝達できる。
【００２８】
なお、この他の構成および作用効果については、実施例１と略同様であるため説明を省略する。
【００２９】
以上、図面を参照して、本考案の実施例１、２を詳述してきたが、具体的な構成は、この実施例に限らず、本考案の要旨を逸脱しない程度の設計的変更は、本考案に含まれる。
【００３０】
例えば、実施例１、２を用いて、錘巻き上げ運動と、上肢による回転運動とについて説明したが、本考案の健康器具１は、もちろん、その他の運動にも利用できる。その他の可能な運動としては、例えば、患者が立った姿勢で健康器具１の内側に入り、両手で手摺部材５、５を持った状態で、踏み台昇降運動、歩行訓練、バランス感覚を養う訓練（バランス運動）などを行うことが考えられる。
【００３１】
また、椅子に腰かけた患者が、低い位置にある装置台６に肘をついた姿勢で、ダンベル等を持ち上げて上腕の筋力を鍛える運動なども行うことができる。
【００３２】
さらに、上述の実施例において、装置台６は一対のＴ字形部材をＨ字形に突き合わせて形成される場合について説明したが、これに限定されるものではない。図５の変形例に示すように、装置台板６Ａの上に装置台６を載置するように構成することもできる。装置台板６Ａは主に平板部材６５によって形成することもできる。平板部材６５には、４箇所に孔６６、・・・が設けられ、下部枠体２の上補強材２１、２１（図２参照）に２か所ずつ設置したダボ２１ａ、・・・と嵌合するようになっている。このように上補強材２１のダボ２１ａが平板部材６５の孔６６に挿入されることによって、装置台板６Ａが横にずれることはない。さらに、装置台６Ａが主に平板部材６５によって形成されることで、装置台自体の剛性が大きくなる。加えて、装置台６Ａは、他の用途にも転用可能である。したがって、装置台板６Ａによって装置台６が補強されるため、装置台６の安定性が高くなる。さらに、装置台板６Ａを単体で用いて、他の運動用の台として使用することもできる。
【符号の説明】
【００３３】
１          健康器具
２          下部枠体
３          上部枠体
４          軸受梁部材
４１        凹部
５          手摺部材
６          装置台
６Ａ        装置台板
６１、６２  Ｔ字形部材
６３        ボルト
６４        ナット
７          軸棒
８          回転ペダル装置
【図１】
0003190876.tif 000003
【図２】
0003190876.tif 000004
【図３】
0003190876.tif 000005
【図４】
0003190876.tif 000006
【図５】
0003190876.tif 000007
【手続補正書】
【提出日】平成26年3月19日(2014.3.19)
【手続補正１】
【補正対象書類名】実用新案登録請求の範囲
【補正対象項目名】全文
【補正方法】変更
【補正の内容】
【実用新案登録請求の範囲】
【請求項１】
健康器具であって、
人が出入りするために一側面が開いた下部枠体と、
前記下部枠体と同じ一側面が開いており、前記下部枠体に相対的に上下方向に高さ調整できる上部枠体と、
前記上部枠体に取り付けられ、手で把持して回転させる軸棒を支承する少なくとも１つの凹部が設けられる一対の軸受梁部材と、
前記上部枠体の上端近傍に取り付けられる一対の手摺梁部材と、を備えることを特徴とする健康器具。
【請求項２】
上肢を鍛えるための回転ペダル装置の脚部を支持する装置台を前記下部枠体に取り付けることを特徴とする請求項１に記載の健康器具。
【請求項３】
前記凹部は、前記軸受梁部材の長さ方向に複数設けられて、腕の長さに応じて前記軸棒の位置を変えることができるように形成されている、ことを特徴とする請求項１又は請求項２に記載の健康器具。
【請求項４】
前記装置台は、一対のＴ字形部材をＨ字形に突き合わせて形成され、第１のＴ字形部材の端部は雄形状にされ、第２のＴ字形部材の端部は雌形状にされ、
前記第１のＴ字形部材の端部と前記第２のＴ字形部材の端部とが嵌合する領域において、前記第１のＴ字形部材及び前記第２のＴ字形部材の両方を挿通するボルトによって、前記第１のＴ字形部材と前記第２のＴ字形部材とが固定される、請求項２に記載の健康器具。
【請求項５】
前記手摺梁部材は、円柱状に形成されている、請求項１乃至請求項４のいずれか一項に記載の健康器具。